【手続補正書】
【提出日】平成16年11月12日(2004.11.12)
【手続補正１】
【補正対象書類名】明細書
【補正対象項目名】特許請求の範囲
【補正方法】変更
【補正の内容】
【特許請求の範囲】
【請求項１】
金属管と該金属管に螺旋状に巻き付けられる金属フィンとによって構成されるスパイラルフィンチューブにおいて、前記金属管の断面が略多角形状を有することを特徴とするスパイラルフィンチューブ。
【請求項２】
前記略多角形状を有する金属管の断面が三角形状であることを特徴とする請求項１記載のスパイラルフィンチューブ。
【請求項３】
金属管と該金属管に螺旋状に巻き付けられる金属フィンとによって構成されるスパイラルフィンチューブにおいて、前記金属管の外表面に少なくとも一つの凸部を設けたことを特徴とするスパイラルフィンチューブ。
【請求項４】
前記略多角形状および前記金属管の外表面に少なくとも一つの凸部を有する部分が金属フィンの両端部近傍であることを特徴とする請求項１から請求項３のいずれか一項に記載のスパイラルフィンチューブ。
【請求項５】
金属管と該金属管に螺旋状に巻き付けられる金属フィンとによって構成されるスパイラルフィンチューブにおいて、前記金属管の外表面にすべり止めの表面処理をしたことを特徴とするスパイラルフィンチューブ。
【請求項６】
前記表面処理はすべり止め塗料又は接着剤によるものであることを特徴とする請求項５記載のスパイラルフィンチューブ。
【請求項７】
金属管と該金属管に螺旋状に巻き付けられる金属フィンとによって構成されるスパイラルフィンチューブにおいて、前記金属管の外表面粗度を粗くしたことを特徴とするスパイラルフィンチューブ。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】
【課題を解決するための手段】
本発明の請求項１に記載の発明は、金属管と該金属管に螺旋状に巻き付けられる金属フィンとによって構成されるスパイラルフィンチューブにおいて、前記金属管の断面が略多角形状を有したものであり、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の断面が略多角形状を有しているので金属管に金属フィンを巻き付け固定しやすくなる。
【手続補正４】
【補正対象書類名】明細書
【補正対象項目名】００１１
【補正方法】変更
【補正の内容】
【００１１】
請求項２に記載の発明は、請求項１に記載の発明で金属管の断面が略多角形状を有するもののうち、特に好ましいのは三角形状にしたものであり、略多角形状のうち製作上安価で簡単に製作できる。
【手続補正５】
【補正対象書類名】明細書
【補正対象項目名】００１２
【補正方法】変更
【補正の内容】
【００１２】
請求項３に記載の発明は、金属管と該金属管に螺旋状に巻き付けられる金属フィンとによって構成されるスパイラルフィンチューブにおいて、前記金属管の外表面に少なくとも一つの凸部を設けたものであり、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の外表面に少なくとも一つの凸部を設けたので、金属管に金属フィンを巻き付け強固に固定することが可能となる。
【手続補正６】
【補正対象書類名】明細書
【補正対象項目名】００１３
【補正方法】変更
【補正の内容】
【００１３】
請求項４に記載の発明は、請求項１から請求項３記載の発明で、前記略多角形状および前記金属管の外表面に少なくとも一つの凸部を有する部分が金属フィンの両端部近傍にしたものであり、金属フィンの両端部近傍以外の金属管断面が真円であるので、金属管と金属フィンとの密着を向上させることができるので熱交換器性能をさらに向上させることができ、かつあらたな部品を必要とせず、金属フィンの両端を固定しないで、金属管に金属フィンを巻き付け緩むことなく固定することが可能となる。
【手続補正７】
【補正対象書類名】明細書
【補正対象項目名】００１４
【補正方法】変更
【補正の内容】
【００１４】
請求項５に記載の発明は、金属管と該金属管に螺旋状に巻き付けられる金属フィンとによって構成されるスパイラルフィンチューブにおいて、前記金属管の外表面にすべり止めの表面処理をしたものであり、あらたな部品を必要とせず、金属フィンの両端を固定することなく、金属管に金属フィンを巻き付け固定することを可能にし、巻付状態の金属フィンが緩むことなく固定することにと共に、金属フィンの両端を固定することがないので生産効率が向上することができ、また安価で製作可能となる。さらに金属管の外表面にすべり止めの表面処理をしたので金属管の腐食性を高めることができる。
【手続補正８】
【補正対象書類名】明細書
【補正対象項目名】００１５
【補正方法】変更
【補正の内容】
【００１５】
請求項６に記載の発明は、請求項５記載の発明ですべり止めの表面処理をすべり止めの塗料または接着剤にしたものである。
【手続補正９】
【補正対象書類名】明細書
【補正対象項目名】００１６
【補正方法】変更
【補正の内容】
【００１６】
請求項７に記載の発明は、金属管と該金属管に螺旋状に巻き付けられる金属帯材とによって構成されるスパイラルフィンチューブにおいて、前記金属管の外表面粗度を粗くしたものであり、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の外表面粗度を粗くしたので、金属管の外表面積が大きくなり、熱交換器性能を向上することができる。
【手続補正１０】
【補正対象書類名】明細書
【補正対象項目名】００４１
【補正方法】削除
【補正の内容】
【手続補正１１】
【補正対象書類名】明細書
【補正対象項目名】００４２
【補正方法】変更
【補正の内容】
【００４２】
【発明の効果】
以上説明したように請求項１に記載の発明は、金属管と該金属管に螺旋状に巻き付けられる金属フィンとによって構成されるスパイラルフィンチューブにおいて、前記金属管の断面が略多角形状を有したことにより、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の断面が略多角形状を有しているので金属管に金属フィンを巻き付け固定しやすくなる。
【手続補正１２】
【補正対象書類名】明細書
【補正対象項目名】００４３
【補正方法】変更
【補正の内容】
【００４３】
また、請求項２に記載の発明は、請求項１に記載の発明で金属管の断面が略多角形状を有するもののうち、特に好ましいのは三角形状にしたものであり、略多角形状のうち製作上安価で簡単に製作できる。
【手続補正１３】
【補正対象書類名】明細書
【補正対象項目名】００４４
【補正方法】変更
【補正の内容】
【００４４】
また、請求項３に記載の発明は、金属管と該金属管に螺旋状に巻き付けられる金属フィンとによって構成されるスパイラルフィンチューブにおいて、前記金属管の外表面に少なくとも一つの凸部を設けたものであり、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の外表面に少なくとも一つの凸部を設けたので、金属管に金属フィンを巻き付け強固に固定することが可能となる。
【手続補正１４】
【補正対象書類名】明細書
【補正対象項目名】００４５
【補正方法】変更
【補正の内容】
【００４５】
また、請求項４に記載の発明は、請求項１から請求項３記載の発明で前記楕円形状、前記略多角形状および前記金属管の外表面に少なくとも一つの凸部を有する部分が金属フィンの両端部近傍にしたものであり、金属フィンの両端部近傍以外の金属管断面が真円であるので、金属管と金属フィンとの密着を向上させることができるので熱交換器性能をさらに向上させることができ、かつあらたな部品を必要とせず、金属フィンの両端を固定しないで、金属管に金属フィンを巻き付け緩むことなく固定することが可能となる。
【手続補正１５】
【補正対象書類名】明細書
【補正対象項目名】００４６
【補正方法】変更
【補正の内容】
【００４６】
また、請求項５に記載の発明は、金属管と該金属管に螺旋状に巻き付けられる金属フィンとによって構成されるスパイラルフィンチューブにおいて、前記金属管の外表面にすべり止めの表面処理をしたものであり、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の外表面にすべり止めの表面処理をしたので金属管の腐食性を高めることができる。
【手続補正１６】
【補正対象書類名】明細書
【補正対象項目名】００４７
【補正方法】変更
【補正の内容】
【００４７】
また、請求項６に記載の発明は、請求項５記載の発明ですべり止めの表面処理をすべり止めの塗料または接着剤にしたものである。
【手続補正１７】
【補正対象書類名】明細書
【補正対象項目名】００４８
【補正方法】変更
【補正の内容】
【００４８】
また、請求項７に記載の発明は、金属管と該金属管に螺旋状に巻き付けられる金属帯材とによって構成されるスパイラルフィンチューブにおいて、前記金属管の外表面粗度を粗くしたことにより、あらたな部品を必要とせず、金属フィンの両端を固定することなく、金属管に金属フィンを巻き付け固定することを可能にし、巻付状態の金属フィンが緩むことなく固定することと共に、金属フィンの両端を固定することがないので生産効率が向上することができ、また安価で製作可能となる。さらに金属管の外表面粗度を粗くしたので、金属管の外表面積が大きくなり、熱交換器性能を向上することができる。